Podtech/llm-jp-corpus-v4-ja_patent huggingface dataset:
(57)【要約】      （修正有）【課題】ギャップ付であっても珪素鋼板がバラけることなく、製造工程の自動化を図れるギャップ付巻鉄心熔接コアを提供する。【解決手段】一枚の珪素鋼板を重ね巻きして成る巻鉄心コアにおいて、ギャップ部１の近傍に重ね巻きした珪素鋼板を溶着するレーザー溶着部２を設けることにより、製造工程の自動化が図れ、生産性が向上する。【選択図】図１
0003176719.tif 000002
【実用新案登録請求の範囲】
【請求項１】
珪素鋼板から成る巻鉄心コアにおいて、ギャップ部の近傍にレーザー溶着部を施したことを特徴とするギャップ付巻鉄心溶接コア
【考案の詳細な説明】
【考案の概要】
【考案が解決しようとする課題】
【０００１】ギャップ付の巻鉄心コアにおいては、ギャップがあってもバラけないように、ワニスを含浸させてある。しかし、これでは、ワニスの処理工程に手間がかかり、生産性が悪い。
【課題を解決するための手段】
【０００２】ワニス工程の代わりに、ギャップ部１の近傍にレーザー溶着部２を施し、ギャップを付けても珪素鋼板３がバラけないようにした。
【考案の効果】
【０００３】製造工程の自動化が図れ、生産性が向上する。また、製造コストの削減が図れる。
【図面の簡単な説明】
【０００４】
【図１】本考案のギャップ付巻鉄心コアの構成を示す平面図である。
【図２】本考案の正面図である。
【符号の説明】
【０００５】１  ギャップ部
２  レーザー溶着部
３  珪素鋼板
【図１】
0003176719.tif 000003
【図２】
0003176719.tif 000004
【手続補正書】
【提出日】平成24年4月10日(2012.4.10)
【手続補正１】
【補正対象書類名】実用新案登録請求の範囲
【補正対象項目名】全文
【補正方法】変更
【補正の内容】
【実用新案登録請求の範囲】
【請求項１】
一枚の珪素鋼板を重ね巻きして成る巻鉄心コアにおいて、ギャップ部の近傍に重ね巻きした珪素鋼板を溶着するレーザー溶着部を設けたことを特徴とするギャップ付巻鉄心溶接コア。
(57)【要約】      （修正有）【課題】労力の軽減、則ち、工事の省力化がはかられ且つ強度も持たせた、ブロック積みの下地ベースコンクリートの型枠を提供する。【解決手段】型枠受け１の付いた杭２を土中に打ち込んで、それに型枠３をセットする。【選択図】図５
0003176720.tif 000002
【実用新案登録請求の範囲】
【請求項１】
型枠受け１の付いた杭２を土中に打ち込んでそれに型枠３をセットする。ブロック積みの下地用ベースコンクリートの型枠である。
【考案の詳細な説明】
【技術分野】
【０００１】本考案はブロック積みのベースコンクリートの型枠に関するものである。
【背景技術】
【０００２】従来、ブロック積みの下地ベースコンクリートは、地面に適当な深さ、巾の穴を掘り、寸法のクラッシャー路盤を作り、転圧機で転圧し、その上に寸法のベースコンクリートを型枠を組んで打設して、その上にブロックを積んでいた。
【考案が解決しようとする課題】
【０００３】ブロックを何段も積む時には、しっかりとしたクラッシャー路盤を作り、相当のベースコンクリートを打設し、その上に積まなければならないが、住宅地の境界等、１段や２段程度のブロック積みの場合、しっかりとした路盤や相当のベースコンクリートを打設する従来の施工法は、必要ない。作業も大変であり、資材・機械も使用するので、資材費、人件費がかさむなどの問題もあり、専門知識も必要だった。
【課題を解決するための手段】
【０００４】本考案は、ブロック積み工事の際、労力を軽減し且つ、しっかりとした下地ベースコンクリートが施工出来る様に工夫された。ブロック積みの下地ベースコンクリートの型枠である。
【図面の簡単な説明】
【０００５】
【図１】型枠側面図
【図２】型枠正面図
【図３】型枠平面図
【図４】本体側面図
【図５】本体正面図
【図６】杭側面図
【図７】杭正面図
【図８】杭平面図
【考案を実施するための形態】
【０００６】本考案は型枠受け１の付いた杭２を土中に打ち込んで、その杭２に型枠３をセットして施工する。土中に打ち込んだ杭２で躯体を支える事を特徴とする。ブロック積みの下地用ベースコンクリートの型枠である。
【０００７】施工する時は地面に寸法の高さ、寸法の巾の穴を掘り、ブロックの積まれる場所に高さ、位置を考えて型枠受け１の付いた杭２を土中に打ち込む、そこに型枠３を乗せれば下地用ベースコンクリートの型枠が出来る。型枠内に鉄筋を組んでコンクリートを打設し、ブロック積みの下地ベースコンクリートとする。
簡単でスピーディに施工出来るので、労力の軽減につながり、型枠も規格なので、コンクリート資材は少なくて済む。又杭２が土中と下地ベースコンクリート部分にくい込んでいるので、強度、耐久性に優れている。
【符号の説明】
【０００８】１  型枠受け
２  杭
３  型枠
【図１】
0003176720.tif 000003
【図２】
0003176720.tif 000004
【図３】
0003176720.tif 000005
【図４】
0003176720.tif 000006
【図５】
0003176720.tif 000007
【図６】
0003176720.tif 000008
【図７】
0003176720.tif 000009
【図８】
0003176720.tif 000010
(57)【要約】      （修正有）【課題】緊急時の災害災難に対し、安心安全に排尿排便を容易に、処理出来る、チャック付使い捨てトイレを提供する。【解決手段】チャック付使い捨てトイレは，複数回の使用可能な強度のポリ袋２で、幅約１６ｃｍ〜２５ｃｍ、長さ約２５ｃｍのポリ袋に、男性排尿口１、女性排尿口、排便口に、発砲ポリエチレンパットを、使用条件にあわせた形状として、排尿排便用簡易トイレを形成する。さらに、使用時には袋内に備えた凝固剤４が即凝固化し、袋からの逆流を防止すると共に、パット内側に設置しているチャック３を閉めることで、２重の逆流と臭気を防止する。【選択図】図１
0003176718.tif 000002
【実用新案登録請求の範囲】
拝尿排便を処理する、チャック付使い捨てトイレを提供する、排泄量に耐える強度のポリ袋、幅約１６ｃｍ〜２５ｃｍ、長さ約２５ｃｍの袋内に高分子凝固剤を適量投入し、男性使用時、性器挿入口に、径約１０ｃｍ、挿入口に厚み５ｍｍ幅３０ｍｍの筒状発砲ポリエチレンパットを装着し、更にパット内側に逆流止めチャックを設置している、尚女性使用時には、発砲ポリエチレンパットを女性器被いの体形状に合わせた、パットで拝尿飛散を防止しする、排尿排便後は、袋内側の発砲ポリエチレンパットに、設置したチャックを閉める事で、２重の逆流と臭気を防止する、再度使用時はチャックを外すことで、排尿続行が可能である、廃棄には、紙おむつ同様に家庭用ごみの廃棄処分が特徴の、チャック付使い捨てトイレ。
【考案の詳細な説明】
【技術分野】
【０００１】地震災害時、被災者が常時使用のトイレに代わる、安心で衛生的に使える、チャック付使い捨てトイレを、提供するものである。
【背景技術】
【０００２】緊急時の、排尿排便の処理は大変困難な問題である、トイレ代替品の即手配は困難であり、しかし処理は避けられない、チャック付使い捨てトイレを、常備品として備えることで、災害時の不安を解決するものである。
【考案の概要】
【考案が解決しようとする課題】
【０００３】地震災害が発生すれば、常時使用のトイレは即断水と成り、トイレの使用は困難となる、本考案が解決しようとする課題は、排尿排便等を不安なく安心して処理出来ることを、目的とするものである。
【課題を解決するための手段】
【０００４】排尿排便を処理出来る、チャック付使い捨てトイレの袋中に、凝固剤が内蔵されている、排尿排便時即凝固化され、使用後は発砲ポリエチレンパット上部内側に設置のチャックを閉めることで、完全密封するこが出来、汚物の臭気を完全に遮断する、衛生的で安心度を高めるものである。【０００５】使い捨てトイレは、内容量が大きく、動的破壊強度も確保し、更に連続使用も可能である、容量に応じた凝固剤も含有し、連続使用の場合はチャックを外す事で再度の排尿排便は可能である。【０００６】チャック付使い捨てトイレは、どの様な場所でも使用が可能で、災害時には大変、重要な課題を解決するものである。
【考案の効果】
【０００７】上述の様に、本考案は地震災害その他の大災害発生時、被災者が、最も困難な問題は、排尿排便である、災害が発生した状況では、トイレの排水を確保するのは、非常に困難であり、放置すれば環境衛生に、大きな問題となる、チャック付き使い捨てトイレは、水がなくとも衛生的に処理できる、この考案の活用は最大の効果である。
【図面の簡単な説明】
【０００８】
【図１】チャック付き使い捨てトイレ男性用斜視図である。
【図２】チャック付き使い捨てトイレ女性用斜視図である。
【考案を実施するための形態】
【０００９】トイレの使用が出来ないのは、体調を狂わす大きな問題である、衛生的生活環境等の狂いはさまざまな病気の元である、当考案のチャック付き使い捨てトイレは上述の難題を解決するものである。
【実施例】
【００１０】災害時ではないが、高齢者になると、排尿の頻度が高く、又寒さが増せば尚、排尿に悩む高齢者は、トイレの問題で運動を躊躇している、トイレがない、苦痛は高齢者も若者も同じである、近隣の高齢者の人にチャック付使い捨てトイレを提供したところ、使用時だけ、周囲に気配りすればこれで不安のない、運動が続けて出来ると歓迎されている。【００１１】友人の家族が車での移動時、常に子供が同乗している、道路での停滞に遭遇した時、いつも困惑しているのは、トイレとのことで、友人に試作品のチャック付使い捨てトイレを提供したところ、トラブルの心配がなく家族の安全で安心な移動が出来たと、感謝され、自動車と住まいの常備品にと提供の依頼された、このチャック付使い捨てトイレは安心と安全を提供するものである。
【符号の説明】
【００１２】    図１
１  男性用挿入口パット
２  ポリ袋
３  密封用チャック
４  凝固剤
図２
１  女性用尿受けパット
２  ポリ袋
３  密封用チャック
４  凝固剤
【図１】
0003176718.tif 000003
【図２】
0003176718.tif 000004
【手続補正書】
【提出日】平成24年4月6日(2012.4.6)
【手続補正１】
【補正対象書類名】実用新案登録請求の範囲
【補正対象項目名】全文
【補正方法】変更
【補正の内容】
【実用新案登録請求の範囲】
【請求項１】
内部に凝固剤を有するポリ袋の開口部にチャックを有するパットを備えたことを特徴とするチャック付き使い捨てトイレ。
(57)【要約】      （修正有）【課題】火山灰を簡単に除去できる火山灰除去用ほうきを提供する。【解決手段】Ｌ字形のアタッチメント２に、ワイヤーをプレスした板状のブラシ１を取付ける。【選択図】図１
0003176712.tif 000002
【実用新案登録請求の範囲】
【請求項１】
Ｌ字型のアタッチメントにワイヤーをプレスした板状のブラシを取付た火山灰除去用ほうき。
【考案の詳細な説明】
【技術分野】
【０００１】  本考案は、ほうきのブラシ部分をワイヤーにした降灰除去用ほうきに関するものである。
【背景技術】
【０００２】  火山灰は、路面に積ると付着するため、普通のほうきでは除去しずらかった。
【考案の開示】
【考案が解決しようとする課題】
【０００３】  火山灰を除去するには、路面を数回はわく必要があった。しかし、ブラシ部分がワイヤーになっているので、路面を１〜２度はわくだけで降灰を除去でき前途の欠点を解決しようとするものである。
【課題を解決するための手段】
【０００４】  本考案は、ほうきのブラシ部分をワイヤーにすることにより路面に付着した灰を安易に除去し問題を解決している。
【考案の効果】
【０００５】  上途の様に、降灰除去ほうきを用いることで、短時間に灰を除去することに役立っている。
【考案を実施するための最良の形態】
【０００６】  ほうきのブラシ部分をワイヤーにすることにより、路面に積った灰を軽くはわくだけで除去することができる、なお、ブラシ部分はステンレスとし、ほうきの棒の部分と脱着できる様にアタッチメント式が望ましい。
【実施例】
【０００７】  以下、添付図に従って実施例を説明する。１は灰をはわくブラシ部分で２は、ほうきの棒の部分と脱着できるアタッチメントになっている。【０００８】  本考案の実施例は上途の如き構成からなるものであり、図３に示す様に灰の除去に用いられる。
【図面の簡単な説明】
【０００９】
【図１】  正面図
【図２】  側面図
【図３】  実施例図
【符号の説明】
【００１０】  １、ブラシ
２、アタッチメント
【図１】
0003176712.tif 000003
【図２】
0003176712.tif 000004
【図３】
0003176712.tif 000005
(57)【要約】      （修正有）【課題】漏油検知センサ用光ファイバの油に対する感度を向上させた長尺の漏油検知センサ用光ファイバを提供する。【解決手段】クラッド層２のポリマー材に屈折率の小さいものを用い、ＮＡ（開口数）を大きくすることによって、コア部１の表出した穴部３に付着した油４による伝搬光５の減衰が大きくなる。【選択図】図２
0003176191.tif 000002
【実用新案登録請求の範囲】
【請求項１】
石英ガラス材のコア部の周りにポリマー材料のクラッド層を形成し、クラッド層の一部に溝や穴を加工により形成しコア部を表出した構造で、ＮＡ（開口数）が０．４０を超える光ファイバを用いたセンサ用光ファイバ。
【考案の詳細な説明】
【技術分野】
【０００１】
本考案は、油に対する感度が高い漏油検知センサ用光ファイバに関するものである。
【背景技術】
【０００２】
従来の光ファイバを利用した漏油検知センサは、石英ガラス材のコア部の周囲にポリマー材料のクラッド層からなる光ファイバのクラッド部に、炭酸ガスレーザなどを照射することによって溝部や穴部を形成し、コア部を表出させた構造である（図１）。油がその表出したコア部に付着することにより、伝搬光が外部に漏洩し、伝搬光量の減衰を検知することで漏油検知センサとして機能する（図２）。
【先行技術文献】
【特許文献】
【０００３】
【特許文献１】特許公開２００２−１０７２７０号公報
【考案の概要】
【考案が解決しようとする課題】
【０００４】
表出したコア部に油が付着することによる伝搬光量の減衰を大きし、油に対する感度を向上させるためには、多数の穴を短い間隔で形成する必要があった。一方、多数の穴を短い間隔で形成すると、光ファイバ自体の伝搬光の減衰が著しく長尺な漏油検知センサの製作が困難であった。
【課題を解決するための手段】
【０００５】
本考案は、クラッド層のポリマー材に屈折率の小さいものを用い、ＮＡ（開口数）を大きくすることを特徴とする。
【考案の効果】
【０００６】
本考案の漏油検知センサ用光ファイバはＮＡが大きいため、伝搬光のクラッド層の染み出し（エバネッセント波）強度が大きくなる。エバネッセント波が大きいため、表出したコア部に付着した油による伝搬光量の減衰も大きくなる。つまり、１つの穴に油が付着したときの伝搬光量の減衰が大きくなり、油に対する感度が向上する。感度が向上したことにより穴の数を少なく設定できるため、光ファイバ自体の伝搬光の減衰も小さくでき、長尺な漏油検知センサが製作可能となる。
【０００７】
また、NAが大きくなることによって、光源からコア部に多くの光を取り込むことができるため、ダイナミックレンジが増加し、長尺な漏油検知センサが製作可能となる。
【図面の簡単な説明】
【０００８】
【図１】図１は漏油検知センサ用光ファイバの構造を示した説明図である。
【図２】図２は漏油検知センサ用光ファイバの原理を示した説明図である。
【図３】図３は従来と本考案の漏油検知センサ用光ファイバの違いを示した説明図である。
【考案を実施するための形態】
【０００９】
以下に本考案の漏油検知センサ用光ファイバについて詳細に説明する。
【実施例１】
【００１０】
図１に本考案の構造を示す。構造は従来と同様であり、コア部１とクラッド層２からなる光ファイバのクラッド部に、炭酸ガスレーザを照射することによってクラッドの一部に穴部３を形成し、コア部を表出させた構造である。
【００１１】
図２に本考案の光ファイバを用いた漏油検知センサの原理を示す。コア部の表出した穴部３に、油４が付着すると、油とクラッド材の屈折率の相違および油の光吸収作用から、伝搬光５が外部に散乱もしくは油に吸収され伝搬光が減衰する。この伝搬光の出力変化を検知することで漏油検知センサとして機能する。
【００１２】
図３に従来と本考案の違いを示す。本考案はコア部１とクラッド層２の屈折率差を従来に比べ、大きくしている。そのため、本考案の方は従来に比べ、コア内の光の分布が外側に寄って、エバネッセント波８が大きくなる。
【００１３】
表１に従来と本考案の特性比較を示す。ＮＡは従来０．４０に対して、本考案は０．４８になり、１つの穴に油を付着させたときの伝搬光５の減衰による変化が従来の２％に比べ本考案では７％になっている。
【００１４】
油に対する感度が向上したことによって、穴の数を少なく設定できる。よって、光ファイバ自体の伝搬光の減衰が小さくなり、漏油検知センサとしての光ファイバ長を長くすることができる。また、穴の数を少なくなることによって、断線による不具合の発生率も小さくすることができる。
【００１５】
また、ＮＡが大きくなることによって、光源から発せられた光のコア部１への取り込み量が増加するため、伝搬光５の光出力が、従来の１．５μＷに比べ本考案では４．２μＷになっている。
【００１６】
このように、光源から発せられた光のコア部１への取り込み量が増加し光出力が大きくなることより、ダイナミックレンジが増加し、漏油検知センサとしての光ファイバ長を長くすることができる。
【００１７】
上述の感度向上による穴数の減少およびダイナミックレンジの増加の２つの効果から、漏油検知センサとしての光ファイバ長は、従来の５ｍに比べ本考案では５０ｍになっている。
【産業上の利用可能性】
【００１８】
高感度で、長尺の漏油検知センサ用光ファイバを実現できる。
【符号の説明】
【００１９】
１    コア部
２    クラッド層
３    穴部
４    油
５    伝搬光
６    散乱または吸収された光
７    減衰した伝搬光
８    エバネッセント波
【００２０】
【表１】
0003176191.tif 000003
【図１】
0003176191.tif 000004
【図２】
0003176191.tif 000005
【図３】
0003176191.tif 000006
(57)【要約】      （修正有）【課題】鞄やバッグ類に入れた小物や書類等を探すときに、暗闇や夜間では手さぐりをして手の感覚で探し出す必要があるのに対し 携帯ができて鞄やバッグ類の中を容易に照らすことが可能なペン型ＬＥＤ照明器具を提供する。【解決手段】鞄の縁にクリップを挟んで内側に配置することでランドセルや鞄の中を照らすための照明器具で、β状もしくはＲ状クリップ１を有し直線部分２には電力を供給する電池３とスイッチ４を取付け、電池の下部には発光するＬＥＤ照明５を備えてペン型ＬＥＤ照明器具を形成する。【選択図】図１
0003176142.tif 000002
【実用新案登録請求の範囲】
【請求項１】
鞄の縁にクリップを挟んで内側に配置することでランドセルや鞄の中を照らすための照明装置で、β状もしくはＲ状クリップを有し直線部分には電力を供給する電池とスイッチを取付け、電池の下部には発光するＬＥＤ照明を備えたことを特徴とするペン型ＬＥＤ照明器具。
【請求項２】
電池の下部のＬＥＤ照明は、回転して角度を変えることにより照明を照らす方向を変える構造であることを特徴とする請求項１に記載のペン型ＬＥＤ照明器具。
【考案の詳細な説明】
【技術分野】
【０００１】
本考案は、β状もしくはＲ状クリップを備えたペン型ＬＥＤ照明器具に関する。詳しくは、鞄やバッグ類の内側を照らすのに便利な携帯用ペン型ＬＥＤ照明器具に関する。
【背景技術】
【０００２】
近年、ＬＥＤ照明は、消費電力が少なく長時間の使用が可能であることや価格の安価さ、優れた輝度等の特長から多くの分野で利用されている。
これらの特長から、小型で高輝度である機能を利用してペン型照明器具への利用も多く提案されている。
例えば、特許文献１には、歯科用鏡に使用して小型で口内を照射する器具が提案されている。
また、特許文献２には、筆記用具やペンライトと印鑑の機能を併せもった携
帯用照明器具が提案されている。これらの携帯用照明器具には、背広等の外被ポケットに係留するためのペングリップが設けてある。
一方、鞄やバッグ類に入れた小物や書類等を探すときに、暗闇や夜間では手さぐりをして手の感触で探し出すことが多く、緊急の場合には非常に不便である。
こうした鞄やバッグ類の中が目視できれば、所望の物を容易に取り出すことが可能であるが、背広等を着用しない女性にとっては特許文献１に記載のような照明器具を外被ポケットに常備することは難しいという問題があった。
【先行技術文献】
【特許文献】
【０００３】
【特許文献１】特開２００４−１８８０３６号公報
【特許文献２】実用新案登録第３１１５１６７号公報
【考案の概要】
【考案が解決しようとする課題】
【０００４】
本考案が解決しようとする課題は、携帯ができて鞄やバッグ類の中を容易に照らすことが可能なペン型ＬＥＤ照明器具を提供することである。
【課題を解決するための手段】
【０００５】
本考案は、ペン型ＬＥＤ照明器具のクリップを改良することで、携帯ができて鞄やバッグ類に係留可能で、いつでも簡単にスイッチを入れることにより、鞄やバッグ類の中を照らすことが可能なＬＥＤ照明器具を提供することである。
即ち本考案は、鞄の縁にクリップを挟んで内側に配置することでランドセルや鞄の中を照らすための照明器具で、β状もしくはＲ状クリップを有し直線部分には電力を供給する電池とスイッチを取付け、電池の下部には発光するＬＥＤ照明を備えたことを特徴とするペン型ＬＥＤ照明器具である。
また、前記電池の下部のＬＥＤ照明は、回転して角度を変えることにより照らす方向を変える構造であるペン型ＬＥＤ照明器具である。
【考案の効果】
【０００６】
本考案のペン型ＬＥＤ照明器具を用いることにより、携帯ができて鞄やバッグ類の中を照らすことで、鞄やバッグ類の中に入れた小物や書類等を容易に探すことができる。
【図面の簡単な説明】
【０００７】
【図１】図１は、本考案のペン型ＬＥＤ照明器具の一例を示す概念図である。
【図２】図２は、本考案のペン型ＬＥＤ照明器具の正面図を示す概念図である。
【図３】図３は、本考案のペン型ＬＥＤ照明器具の一例を示す概念図である。
【考案を実施するための形態】
【０００８】
以下、図面に基づいて本考案を説明する。
図１は、本考案のペン型ＬＥＤ照明器具であり、β状クリップ１に接続した直線部２を有し、この直線部には電力を供給する電池３とスイッチ４を取付け、電池の下部には角度を変えることができて発光するＬＥＤ照明５を備えている。
直線部２の幅や長さは特に限定されないが、携帯が容易であることから、幅１乃至２ｃｍ、長さ５乃至２０ｃｍであることが好ましい。
より好ましくは、５乃至１０ｃｍである。
電池の下部のＬＥＤ照明５は、回転して角度を変えることにより照明を照らす方向を変えることができることが好ましい。
照明の照度は、鞄やバッグ内の小物や書類等が見られる程度であれば特に限定されないが、電池に寿命等を考慮して１乃至１０ルーメンであることが好ましい。
本考案の直線部分は、電池やスイッチ、ＬＥＤ照明等の防水性の保護を考慮して、透明または不透明のケースで構成されていることが好ましい。
【０００９】
図１において、β状クリップ１はペン型ＬＥＤ照明を鞄やバッグ類の縁に挟むためのβ型クリップである。
β状クリップ１の下方は開口されており、鞄やバッグ類の縁に挟むことができる。β状クリップの長さは特に限定されないが、携帯が可能なことと、鞄やバッグ類の縁に挟んだものが容易に落下しないように、通常２乃至１０ｃｍ程度が好ましい。
β状クリップ１の形状は、いわゆるβ文字状であることが必要であるが、曲部の曲率は特に限定されない。
β状クリップ１の材質は特に限定されないが、通常弾力性のある金属やプラスチック類が用いられる。
クリップの形状をβ状もしくはＲ状とすることで、鞄やバッグ類への接圧点が２個乃至１個となり、ペン型ＬＥＤ照明器具の係止力が向上する。
より好ましいクリップ形状はβ状である。
図３は、Ｒ状クリップ７を有するペン型ＬＥＤ照明器具の概念図である。
図２は、本考案のペン型ＬＥＤ照明器具を正面からみた概念図である。
【産業上の利用可能性】
【００１０】
本考案のペン型ＬＥＤ照明器具は、携帯が可能で種々の物の縁に容易に挟むことで、内容物を照らすことが可能であることから、鞄やバッグ類以外にも多様に利用することができる。
【符号の説明】
【００１１】
１    β状クリップ
２    本体直線部
３    電池
４    スイッチ
５    ＬＥＤ照明
６    回転接続部
７    Ｒ状クリップ
【図１】
0003176142.tif 000003
【図２】
0003176142.tif 000004
【図３】
0003176142.tif 000005
(57)【要約】      （修正有）【課題】コンクリート内部全体に着色されている為、経年変化や摩擦などでコンクリート表面が削れても下地のコンクリートの色が出ないセメント混練材構造体を提供する。【解決手段】施工面の上に鉄筋を内包したセメント混練材層、スタンプ層、ボンド層を順に積層する。セメント混練材層は、コンクリート又はモルタルであり、色粉又は顔料が添加される。【選択図】図１
0003176149.tif 000002
【実用新案登録請求の範囲】
【請求項１】
施工面の上に鉄筋を内包したセメント混練材層、スタンプ層、ボンドを順に積層したことを特徴とするセメント混練材構造体。
【請求項２】
セメント混練材層はコンクリート又はモルタルのいずれか1種であることを特徴とする請求項１記載のセメント混練材構造体。
【請求項３】
前記セメント混練材層の混練材には色粉または顔料の1種以上を添加したことを
特徴とする請求項１又は２のいずれかに記載のセメント混練材構造体。
【考案の詳細な説明】
【技術分野】
【０００１】
本発明は、コンクリート構造物等であるセメント混練材構造体に関するものである。
【背景技術】
【０００２】
生コンクリートに色粉を散布し凹凸のあるパネルでコンクリートパネルに色と模様つけた構造が提案されている。例えば特許文献１に記載されている。
【０００３】
このコンクリートパネルは 車が載る為十分な強度を有しなければならない。
【先行技術文献】
【特許文献】
【０００４】
【特許文献１】特開2006‐249738
【考案の概要】
【考案が解決しようとする課題】
【０００５】
従来のコンクリートパネルは色のついた部分が表面のみとなる為車の乗車または経年変化により表面の色のついた部分が削れる、その為コンクリート下地の色が見えてしまい、景観を損ねる結果となる。
【課題を解決するための手段】
【０００６】
本考案は請求項１に記載したとおり施工面の上に鉄筋を内包したセメント混練材層、スタンプ層、ボンドを順に積層したことを特徴とするセメント混練材構造体である。
【０００７】
本考案は請求項２に記載したとおりセメント混練材層はコンクリート又はモルタルのいずれか1種であることを特徴とする請求項１記載のセメント混練材構造体である。
【０００８】
本考案は請求項３に記載したとおり前記セメント混練材層の混練材には色粉または顔料の1種以上を添加したことを特徴とする請求項１または２のいずれかに記載のセメント混練材構造体である。
【考案の効果】
【０００９】
従来のコンクリートパネルは色のついた部分が表面のみとなる為車の乗車または経年変化により表面の色のついた部分が削れる、その為コンクリート下地の色が見えてしまい、景観を損ねる結果となる。今回提案のコンクリートパネルはコンクリート全体に色粉または顔料の1種以上が添加してあるため車の乗車または経年変化によって表面部分が削れてしまっても同じ色のついた部分が出てくるため景観を損ねることがない。
【図面の簡単な説明】
【００１０】
【図１】本考案のセメント混練材層の断面図を示す
【考案を実施するための形態】
【００１１】
本考案について図１にもとずいて説明する。
【実施例】
【００１２】
生コンクリート設計基準強度21N、最大骨材径を25mmとしてセメント322kg水175kg細骨材720kg粗骨材1035kgのものに顆粒状の色粉を混練する。
【００１３】
顆粒の色粉はセメント量に対して5％の重量で混練する。
【００１４】
混練方法としては生コンクリートプラント工場もしくはコンクリートミキサー車にて
生コンクリートと色粉を混練する
【００１５】
生コンクリートの中にワイヤーメッシュもしくは鉄筋を入れる。
【００１６】
前記セメント混練材の表面に、型材を押し付けることにより所望の模様を形成する型材押し付け工程とを有することを特徴とするコンクリートの成形方法。
【００１７】
セメント混練材層にボンドを塗布し
コーティング層を形成するコーティング処理工程を有する成形方法
【００１８】
前記型材押し付け工程との間に、前記セメント混練材の表面および前記型材に離型剤を塗布する離型剤塗布工程を有することを特徴とするコンクリートの成形方法。
【００１９】
前記セメント混練材と前記型材押し付け工程との間に、オイル液体により着色された混合特殊モルタルの表面および前記型材に離型剤を塗布する離型剤塗布工程を有することを特徴とするコンクリートの成形方法。これらの方法を順次行うことにより本考案のセメント混練材構造体を得ることができる。
【産業上の利用可能性】
【００２０】
土木業界において活用できる考案である。
【符号の説明】
【００２１】
１  コンクリート層
２  スタンプ層
３  ボンド
４  鉄筋
【図１】
0003176149.tif 000003
(57)【要約】      （修正有）【課題】マグネットシート収納袋の表面に切断案内線を設けることにより、マグネットシートを容易に所望の形態に切断できる様にするマグネットシート収納袋を提供する。【解決手段】マグネットシート収納袋１は、全体が透明もしくは半透明プラスチックシートよりなり、その一方側面にはその表面の全面にわたってマス目上に切断案内線２が印刷形成されている。そして、マグネットシート収納袋本体１ａの内部に、マグネットシート本体４の片面に粘着剤５を介して剥離シート６が一体に貼り付けられたマグネットシート３を、挿入した状態で投入口形成片１ｂを、矢印のように折り曲げて、粘着剤等を介して封じる構成となっている。また、マグネットシート収納袋１の外形は、収納されるマグネットシート３とほぼ同形とされて、マグネットシート３を内部に密接固定状態に収納する構成とされている。【選択図】図１
0003176861.tif 000002
【実用新案登録請求の範囲】
【請求項１】
マグネットシートを内部に収納するマグネットシート収納袋において、
前記マグネットシートを所定の形態に切断する際の案内ガイド表示がなされてなることを特徴とするマグネットシート収納袋。
【請求項２】
透明もしくは半透明である請求項１記載のマグネットシート収納袋。
【請求項３】
外形を前記マグネットシートとほぼ同形とし、前記マグネットシートを内部に密接固定状態に収納する請求項１または２記載のマグネットシート収納袋。
【考案の詳細な説明】
【技術分野】
【０００１】
この考案は、マグネットシートを所望の形態に切断するための構成に関する。
【背景技術】
【０００２】
従来、マグネットシートとして、紙、木、プラスチックス等の非磁性体に取り付けが可能なように片面を粘着面としたものがあり、このものは通常その粘着面に剥離シートが貼られて提供されている（特許文献１）。このようなマグネットシートはその使用状況に対応してその形状が所望となるように切断されて使用される。この切断作業は寸法を測り切断線を引いて行うので非常に手間がかかった。
【先行技術文献】
【特許文献】
【０００３】
【特許文献１】特開平７−３１００６２
【考案の概要】
【考案が解決しようとする課題】
【０００４】
この考案は、マグネットシートの所望の形態への切断が容易にできるようにすることを課題とする。
【課題を解決するための手段】
【０００５】
本考案は、マグネットシートを内部に収納するマグネットシート収納袋において、前記マグネットシートを所定の形態に切断する際の案内ガイド表示がなされる構成のものとした。
【０００６】
上記構成によれば、マグネットシート収納袋の案内ガイド表示を案内としてマグネットシートを所望の形態に切断することができる。
【０００７】
この考案において、マグネットシート収納袋は透明、半透明のものである方が、マグネットシートが見えることで切断が行いやすい。案内ガイド表示は通常マグネットシート収納袋の表面に形成されるが、マグネットシート収納袋が透明、半透明のものの場合は内面側に形成されてもよい。案内ガイド表示は切断のための案内となるものであれば線、点、模様等適宜の形態であってよい。
【０００８】
また、マグネットシートを収納袋内に納めたまま切断する場合は、収納袋の外形がマグネットシートとほぼ同形とされてマグネットシートを内部に密接固定状態に収納する構成とすることで、マグネットシートを位置ずれのない状態で精度良く切断できる。
【考案の効果】
【０００９】
この考案によれば、マグネットシートの所望の形態への切断が、容易にできるようになる。
【図面の簡単な説明】
【００１０】
【図１】この考案のマグネットシート収納袋の実施形態の斜視図であり、（ａ）は作業手順、（ｂ）は完成状態を示す。
【考案を実施するための形態】
【００１１】
図１はこの考案のマグネットシート収納袋の実施形態の斜視図を表わしたものであり、（ａ）は作業手順、（ｂ）は完成状態を示している。
マグネットシート収納袋１は、全体が透明もしくは半透明プラスチックシートよりなり、その一方側面にはその表面の全面にわたってマス目上に切断案内線２が印刷形成されている。
そして、マグネットシート収納袋本体１ａの内部に、マグネットシート本体４の片面に粘着剤５を介して剥離シート６が一体に貼り付けられたマグネットシート３を、矢印で示すように挿入した状態で、投入口形成片１ｂを、矢印のように折り曲げて図示しない粘着剤等を介して封じる構成となっている。
また、マグネットシート収納袋１の外形は、収納されるマグネットシート３とほぼ同形とされて、マグネットシート３を内部に密接固定状態に収納する構成とされている。
なお、マグネットシート収納袋１の構造自体は、本実施例に表わす形態に限らず、他の汎用の袋構造等、適宜に選択して実施してよい。
【００１２】
上記のように、マグネットシート収納袋１の表面に切断案内線２が設けられていることで、内部にマグネットシート３を収納した状態において、その切断案内線２を目安として内部に収納されるマグネットシート３を一体に所望の形態に切断することができる。
その際、マグネットシート収納袋１がマグネットシート３を内部に密接固定状態に収納する構成とすることで、マグネットシート３を位置ずれのない状態で精度良く切断することができる。
なお、マグネット収納袋１の一部を切って取り出したマグネットシート３を、合わせ切断案内線２に沿って切断するように使用することもできる。
【符号の説明】
【００１３】
１  マグネットシート収納袋
１ａ  マグネットシート収納袋本体
１ｂ  投入口形成片
２  切断案内線（切断する際の案内ガイド表示）
３  マグネットシート
４  マグネットシート本体
５  粘着剤
６  剥離シート
【図１】
0003176861.tif 000003
(57)【要約】【課題】  剥離シートを一体とするマグネットシートの所望の形態への切断が容易にできるようにする。【解決手段】  片面を粘着面とするマグネットシート本体２と、マグネットシート本体２の片面に貼り付けられる剥離シート３とからなるマグネットシート１において、剥離シート３のマグネットシート本体２への貼り付け面側と逆側の面に、マグネットシート本体２を所定の形態に切断する際の、不連続な点５等の切断ガイド模様６が付されているマグネットシート１とした。【選択図】  図１
0003176862.tif 000002
【実用新案登録請求の範囲】
【請求項１】
片面を粘着面とするマグネットシート本体と、前記マグネットシート本体の片面に貼り付けられる剥離シートとからなるマグネットシートにおいて、
前記剥離シートの前記マグネットシート本体への貼り付け面側と逆側の面に、前記マグネットシート本体を所定の形態に切断する際の、不連続な切断ガイド模様が付されてなることを特徴とするマグネットシート。
【請求項２】
前記不連続な切断ガイド模様が、マス目状の仮想線の交点に沿って形成されている請求項１記載のマグネットシート。
【考案の詳細な説明】
【技術分野】
【０００１】
この考案は、マグネットシートを所望の形態に切断するための構成に関する。
【背景技術】
【０００２】
従来、マグネットシートとして、紙、木、プラスチックス等の非磁性体に取り付けが可能なように片面を粘着面としたものがあり、このものは通常その粘着面に剥離シートが貼られて提供されている（特許文献１）。このようなマグネットシートはその使用状況に対応してその形状が所望となるように切断されて使用される。この切断作業は寸法を測り切断線を引いて行うので非常に手間がかかった。
【先行技術文献】
【特許文献】
【０００３】
【特許文献１】特開平７−３１００６２
【考案の概要】
【考案が解決しようとする課題】
【０００４】
この考案は、剥離シートを一体とするマグネットシートの所望の形態への切断が容易にできるようにすることを課題とする。
【課題を解決するための手段】
【０００５】
本考案は、片面を粘着面とするマグネットシート本体と、前記マグネットシート本体の片面に貼り付けられる剥離シートとからなるマグネットシートにおいて、前記剥離シートの前記マグネットシート本体への貼り付け面側と逆側の面に、前記マグネットシート本体を所定の形態に切断する際の、不連続な切断案内ガイド模様が付されてなる構成とした。
【０００６】
上記構成によれば、切断案内ガイド模様を案内として切断することでマグネットシートを所定の形態に切断できる。切断案内ガイド模様が不連続とされているので、任意の模様位置を接続して所望の形態の切断案内ガイドラインを引くことができ、それに沿って所望の形態にマグネットシートを切断できる。切断案内ガイド模様は複数の点等により形成され、それらがマス目状等各種形態の仮想線の交点にそれぞれ位置するように配置されることが好ましい。
【考案の効果】
【０００７】
この考案によれば、剥離シートを一体とするマグネットシートの所望の形態への切断が容易にできるようになる。
【図面の簡単な説明】
【０００８】
【図１】この考案のマグネットシートの実施形態の剥離シート側斜視図
【図２】この考案のマグネットシートの実施形態の部分拡大断面図
【図３】この考案のマグネットシートの切断案内模様の変形例の説明図
【考案を実施するための形態】
【０００９】
図１はこの考案のマグネットシートの実施形態の剥離シート側斜視図、図２同部分断面図である。
【００１０】
マグネットシート１は、マグネット材料粉を含有する合成ゴムシートの磁着品よりなるマグネットシート本体２と、マグネットシート本体２の片面に貼り付けられる合成紙等よりなる剥離シート３とからなる。
そして、マグネットシー本体２の片面は、粘着剤４が付設されたことで粘着面とされ、その粘着面に貼り付けられて剥離シート３が一体に付設されている。
なお、剥離シート３の露呈する片面には、その全面にわたって複数の点５よりなる切断ガイド模様６が印刷形成されている。
【００１１】
上記の点５それぞれは、所定の寸法においてマス目状の仮想線の交点にそれぞれ位置するように配置され、それらを案内として切断することでマグネットシート２を所定の形態に切断できる。
【００１２】
図３は切断ガイド模様の他の変形例を示し、このものでは大きな点５ａを所定の間隔ごとに配置し、距離感を判りやすいものとしている。これを目安として大きさの異なるマグネットシート２１片の切り出しが容易になされる。
【００１３】
なお、本考案における切断案内模様は、図１や図３に示すような、塗りつぶした丸い点に限ることなく、図示はしないが、塗りつぶした三角形、四角形、或いは、輪郭だけの円、三角形、四角形、さらには、他の各種記号や、×、＋等の交差形状、等々適宜なものを選択して実施できることは言うまでもない。
【符号の説明】
【００１４】
１    マグネットシート
２    マグネットシート本体
３    剥離シート
４    粘着剤
５    点
５ａ  大きな点
６    切断ガイド模様
【図１】
0003176862.tif 000003
【図２】
0003176862.tif 000004
【図３】
0003176862.tif 000005
(57)【要約】      （修正有）【課題】乾式ホットパックを利用した両足加温装置を提供する。【解決手段】箱型の本体上面に両足を挿入するための開口部を設け、側面の芯材に硬質ウレタンを用い、内底に平形の乾式ホットパックを挿入する。これにより、両足の挿入が容易で、保温性にも優れ、装着が容易である。【選択図】図６
0003176899.tif 000002
【実用新案登録請求の範囲】
【請求項１】
粉末状蓄熱剤を熱源とした下肢用ホットパック
【考案の詳細な説明】
【技術分野】
【０００１】    本考案は、実願２００７−００７７９５に示されたホットパックの素材を利用した下肢用ホットパックである。
【背景技術】
【０００２】    実願２００７−００７７９５に示されているように、パラフィン系ワックス等を使用した乾熱式ホットパックは平形、首、肩用、ひざ用、等があるが、下肢用はない。
【考案の開示】
【考案が解決しようとする課題】
【０００３】    下肢用ホットパックは考案、試作されたことがあるが、左右それぞれ片足用のため、装着に手間がかかる、使い廻しする場合の清潔さが保てない、等の難点があり、商品化されていない。
【課題を解決するための手段】
【０００４】    足先を暖める「足湯」をもとに考案したものであるが、椅子に腰掛け、両足をほぼ揃えた状態にて使用できるよう箱型とし、その底に平形のホットパックを挿入する仕組みとした。【０００５】    箱型の側部分は形状保持のため、硬質ウレタンを芯材として使用した、又、硬質ウレタンを使用したことにより、保温効果を高めることとした。【０００６】    箱型の側部分上部は、装着が簡単で、温気をなるべく外に漏らさないようにするために、包布ゴムを使用した。
【考案の効果】
【０００７】    素足になる必要がなく、靴下のまま両足を挿入でき、装着が簡単なので、介護施設等での複数の方に使用していただくのが楽である。【０００８】    本考案は、足湯を参考に考案したものである、使用中膝かけ等を使用することにより、保温効果を高めるとともに安堵感をも得られる。【０００９】    本ホットパックは「おしぼり用加温器」にて加温できる、「おしぼり用加温器」は比較的に安値であり、使用対象者の人数により、台数を調節できるので、小規模の介護事業者でも複数の使用者を対象に敏速に対応できる。
【考案を実施するための最良の形態】
【実施例１】
【００１０】    本考案のホットパックは短時間にて加温できるので、病院、及び介護施設にては、収容容積の多い加温機等と電子レンジを併用し使用することにより、予想外に多勢の被施術者にも敏速に対応できる。
【実施例２】
【００１３】    家庭用としては、調理用電子レンジを併用することができることから、専用の加温気を購入する必要がないので、購入、使用することが、より、容易になる。
【産業上の利用可能性】
【００１４】    本考案のホットパックは、病院、施設等での治療、治癒のために考案したものであるが、通常、家庭用として就寝の際に足もとに挿入しておくことや、乾式であるので、寒冷地等での救急保温、薬剤等の保温移送等にも利用できる。
【図面の簡単な説明】
【００１５】
【符号の説明】
【００１６】１    ：
２    ：
３    ：
４    ：
［図４］                        ［図５］
【図１】
0003176899.tif 000003
【図２】
0003176899.tif 000004
【図３】
0003176899.tif 000005
【図４】
0003176899.tif 000006
【図５】
0003176899.tif 000007
【図６】
0003176899.tif 000008
【手続補正書】
【提出日】平成24年4月16日(2012.4.16)
【手続補正１】
【補正対象書類名】実用新案登録請求の範囲
【補正対象項目名】全文
【補正方法】変更
【補正の内容】
【実用新案登録請求の範囲】
【請求項１】
箱型の本体上面に両足を挿入するための開口部を有し、側面の芯材に硬質ウレタンを用い、内底に平形の乾式ホットパックを挿入することを特徴とする両足加温装置。
【手続補正２】
【補正対象書類名】明細書
【補正対象項目名】００１５
【補正方法】変更
【補正の内容】
【００１５】
【図１】は、本考案のホットパック用外箱の外観図である。
【図２】は、ホットパック本体であるが、加温した後、［図１］の上部、両足挿入口から挿入する。
【図３】は、ホットパック本体の断面図である。内袋７、蓄熱パウダー８の様子もここに示した。
【図４】は、ホットパック用外箱の内視図であるが遮熱板６の様子もここに示した。
【図５】は、ホットパック本体を外箱の内に収めた様子を示した、遮熱板６，９の様子もここに示した。
【図６】は、両足を挿入し、使用している様子を示した、尚、膝かとして毛布などを併用すると、いっそう効果的である。
【手続補正３】
【補正対象書類名】明細書
【補正対象項目名】００１６
【補正方法】変更
【補正の内容】
【００１６】１，１‘：  外箱２：  挿入口３：  ゴム入り挿入口縁４、４‘：  折畳み線５：  ホットパック６：  底遮熱板７：  ホットパック内袋８：  蓄熱パウダー９：  側面遮熱板
(57)【要約】      （修正有）【課題】ホーム柵として、横引きシャッター型と導入することで、幅広く柵が開くようにし、かつ戸袋も省スペースとなる可動ホーム柵を提供する。【解決手段】プラットホーム７に並設された複数の戸袋、戸袋本体１内部にホーム柵の柵の巻き上げ機、戸袋、ホーム柵（シャッター）５と、下にひいたガイドレール（ガイド部）２により、ホーム柵の開閉スイッチ（又はリモコン)を操作により、戸袋本体内部にあるホーム柵の、柵の巻き上げ機が動作し、柵を巻き上げて、ガイドレールを通りながら、ホーム柵を戸袋へ、収納、柵を出せるように巻き上げ式ホームドアを形成する。柵を出したあとは、柵５がガイドレール２を通り反対側の戸袋本体にある緩衝部１２に密着して閉まる。【選択図】図１
0003176896.tif 000002
【実用新案登録請求の範囲】
【請求項１】
プラットホームに並設された複数の戸袋、戸袋本体内部にホーム柵の柵の巻き上げ機、戸袋、ホーム柵(シャッター)と、下にひいたガイドレール(ガイド部)により、ホーム柵の開閉スイッチ(又はリモコン)を操作により、、戸袋本体内部にあるホーム柵の、柵の巻き上げ機が動作し、柵を巻き上げて、ガイドレールを通りながら、ホーム柵を戸袋へ、収納、柵を出せる機能を特徴とする巻き上げ式ホームドアである。  柵を出したあとは、柵がガイドレールを通り反対側の戸袋本体にある緩衝部に密着して閉まる。(図1),(図3)(図4)
【請求項２】
柵を出したあとは、柵がガイドレールを通り反対側本体にある緩衝部に密着して閉まる(図1)
【考案の詳細な説明】
【技術分野】
【０００１】
本考案は、駅のプラットホームの、ホーム柵に関する。
【背景技術】
【０００２】
従来の可動式ホーム柵は、ホーム柵の扉にあわせるため列車扉枚数や列車扉位置が大きく異なる様々な車両が走行できなった。
【０００３】
ＡＴＯ(自動列車運転装置)等のない路線では、ホームドアの扉の位置に合わせて列車を停止させていた。
【０００４】
従来の可動式ホーム柵は、プラットホームが、カーブのある形状では、設置ができなかった。
【先行技術文献】
【特許文献】
【０００５】
【特許文献１】実用新案公開平５−６７７９１
【特許文献２】特許公開平１０−１１０５８１
【特許文献３】特許公開平８−１７０４７４
【特許文献４】特許出願平３−２３２３６４
【非特許文献】
【０００６】
【非特許文献１】http://www.yokobiki-shutter.co.jp/catalog/03_kani/kani-P08.pdf    平面納まり図
【非特許文献２】http://www.mlit.go.jp/common/000019059.pdf#search='ホームドア 問題点'  1ページから8ページまで
【考案の概要】
【考案が解決しようとする課題】
【０００７】
従来の可動式ホーム柵は、形状がまっすぐなため、駅のプラットホームが直線の場所でしか設置できない
【０００８】
ホームドアの設置には、車両の改良等に多額のコスト負担が必要となる。
【０００９】
従来の可動式ホーム柵は、列車扉枚数や列車扉位置が大きく異なる様々な車両が走行する路線には設置が困難。
【００１０】
ＡＴＯ(自動列車運転装置)等のない路線では、列車がオーバランするとホーム柵の柵の位置が列車の扉の位置と違うようになるため、使えなくなる。
【００１１】
従来の可動式ホーム柵では、駅のプラットホームがカーブの場所では、設置がでない。
【課題を解決するための手段】
【００１２】
可動式ホーム柵の柵を、車庫などに使われるシャッター形状にし、シャッターを収納する戸袋、シャッターを巻き上げる巻き上げ機を本体にもうけ、ホーム柵の柵を巻き上げて収納、ホーム柵の柵を出すホームドアを考案した。(図1)
【考案の効果】
【００１３】
横引きシャッター式の可動ホーム柵にすることにより、列車扉枚数や列車扉位置が大きく異なる様々な車両が入線しても、シャッター式なので、幅広く柵が開くように調整できるので、列車扉枚数や列車扉位置が大きく異なる様々な車両でもホーム柵が利用ができる。
【００１４】
横引きシャッター式可動式ホーム柵は、プラットホーム縁端部に設けた戸袋本体とシャッターによりプラットホームと線路を仕切りプラットホームからの転落、プラットホーム上での列車との接触、線路内への侵入等の防止する。
【００１５】
カーブのある駅のプラットホームでは、ホーム柵の下部のガイト部をカーブに設置することにより、カーブにも対応ができる。(図2)
【００１６】
このシャッター式ホーム柵は、シャッターを収納する仕組みなので、従来の可動式ホーム柵の戸袋より、省スペースで設置が可能になる。さらに仕組みが簡単なので、コストを安く制作できる。(図3)
【図面の簡単な説明】
【００１７】
【図１】巻き上げ式可動ホーム柵の全体図を表す。
【図２】巻き上げ式可動ホーム柵で、ガイドレールが曲がっている状態での柵が開いた状態
【図３】戸袋本体の内面図(上図)
【図４】戸袋本体の内面図(下図)
【考案を実施するための形態】
【００１８】
プラットホーム縁端部にシャッター式ホーム柵設ける。
【実施例】
【００１９】
プラットホーム縁端部に設けた可動が可能なホーム柵がプラットホームと線路を仕切り、列車到着時のみホーム柵が開閉する。
【産業上の利用可能性】
【００２０】
プラットホームに並設された複数の戸袋、戸袋本体内部にホーム柵の柵の巻き上げ機、戸袋、ホーム柵(シャッター)と、下にひいたガイドレール(ガイド部)により、ホーム柵の開閉スイッチ(又はリモコン)を操作により、、戸袋本体内部にあるホーム柵の、柵の巻き上げ機が動作し、柵を巻き上げて、ガイドレールを通りながら、ホーム柵を戸袋へ、収納、柵を出せる機能を特徴とする巻き上げ式ホームドアである。  柵を出したあとは、柵がガイドレールを通り反対側の戸袋本体にある緩衝部に密着して閉まる。(図1),(図3)
【符号の説明】
【００２１】
1.戸袋本体
2.ガイトレール
3.床
4.ベース板
5.ジャバラ
6.線路
7.プラットホーム
8.キャスター
9.プロペラ
10.モーター
11.歯車
12.戸当たり
【図１】
0003176896.tif 000003
【図２】
0003176896.tif 000004
【図３】
0003176896.tif 000005
【図４】
0003176896.tif 000006
【手続補正書】
【提出日】平成24年4月23日(2012.4.23)
【手続補正１】
【補正対象書類名】実用新案登録請求の範囲
【補正対象項目名】全文
【補正方法】変更
【補正の内容】
【実用新案登録請求の範囲】
【請求項１】
プラットホームの縁端部に戸袋を設け、戸袋本体内部に巻き上げ機、巻き上げ機が駆動して稼動するキャスターが付いたベース板と、ベース板が通るガイドレールを備えた横引シャッター型可動ホーム柵。